(57)【要約】本発明は、表示パネルを開示している。該表示パネルは、ベース基板と、ベース基板上に位置する表示手段と、表示手段のベース基板から離れた側に位置するとともに、表示手段を封止する封止層とを含む。該封止層は、表示手段のベース基板から離れた側に位置する第１無機封止層と、第１無機封止層の表示手段から離れた側に位置する第１有機封止層および第２有機封止層とを含む。第１有機封止層および第２有機封止層の各々は、第１無機封止層と接している。第１有機封止層のヤング率は、第２有機封止層のヤング率よりも低い。
2021503150.tif 000002
【特許請求の範囲】
【請求項１】
ベース基板と、
前記ベース基板上に位置する表示手段と、
前記表示手段の前記ベース基板から離れた側に位置するとともに、前記表示手段を封止する封止層と、を含み、
前記封止層は、
前記表示手段の前記ベース基板から離れた側に位置する第１無機封止層と、
前記第１無機封止層の前記表示手段から離れた側に位置する第１有機封止層および第２有機封止層と、を含み、
前記第１有機封止層および前記第２有機封止層の各々は、前記第１無機封止層と接しており、
前記第１有機封止層のヤング率は、前記第２有機封止層のヤング率よりも低いことを特徴とする表示パネル。
【請求項２】
湾曲可能部を有し、
前記ベース基板の表面を含む平面における前記第１有機封止層の正投影と前記ベース基板の表面を含む平面における前記湾曲可能部の正投影とは、少なくとも一部重なっていることを特徴とする請求項１に記載の表示パネル。
【請求項３】
前記ベース基板の表面を含む平面における前記第１有機封止層の正投影は、前記ベース基板の表面を含む平面における前記湾曲可能部の正投影を大体覆っていることを特徴とする請求項２に記載の表示パネル。
【請求項４】
前記第１有機封止層の幅は、前記湾曲可能部の幅の約１．２倍〜約２．０倍であることを特徴とする請求項３に記載の表示パネル。
【請求項５】
前記第２有機封止層の幅は、前記第１有機封止層の幅の約１／３以下であることを特徴とする請求項１に記載の表示パネル。
【請求項６】
前記第１有機封止層は、前記第２有機封止層の前記第１無機封止層から離れた側に位置するとともに、前記第２有機封止層を大体覆っていることを特徴とする請求項１に記載の表示パネル。
【請求項７】
前記第２有機封止層の厚さは、前記第１有機封止層の厚さの約１／２以下であることを特徴とする請求項６に記載の表示パネル。
【請求項８】
湾曲可能部を有し、
前記ベース基板の表面を含む平面における前記第２有機封止層の正投影と前記ベース基板の表面を含む平面における前記湾曲可能部の正投影とは、少なくとも一部重なっていることを特徴とする請求項１に記載の表示パネル。
【請求項９】
前記ベース基板の表面を含む平面における前記湾曲可能部の正投影は、前記ベース基板の表面を含む平面における前記第２有機封止層の正投影を大体覆っていることを特徴とする請求項８に記載の表示パネル。
【請求項１０】
湾曲可能部を有し、
前記第２有機封止層は、前記湾曲可能部の長さ方向と大体平行する方向に沿って延在し、かつ大体前記封止層の全長に亘って延在する単一の第２有機封止ブロックを含むことを特徴とする請求項１に記載の表示パネル。
【請求項１１】
湾曲可能部を有し、
前記第２有機封止層は、前記湾曲可能部の長さ方向と大体平行する方向に沿って互い離間する複数の第２有機封止ブロックを含むことを特徴とする請求項１に記載の表示パネル。
【請求項１２】
前記封止層は、前記第１無機封止層の前記表示手段から離れた側に位置するとともに、前記第１無機封止層と接している第３有機封止層をさらに含むことを特徴とする請求項１に記載の表示パネル。
【請求項１３】
前記第１有機封止層は、前記第２有機封止層の前記第１無機封止層から離れた側に位置するとともに、前記第２有機封止層を大体覆っており、
前記第１有機封止層は、第１の側、第２の側、および、前記第１の側と前記第２の側とを接続する第３の側を有し、前記第３の側の第１部分は、前記第１無機封止層と接しており、前記第３の側の第２部分は、前記第２有機封止層と接しており、
前記第３有機封止層は、前記第１の側と前記第２の側に前記第１有機封止層を挟み込んでいることを特徴とする請求項１２に記載の表示パネル。
【請求項１４】
前記第３有機封止層は、第３有機材を含み、
前記第２有機封止層は、第２有機材を含み、
前記第３有機材と前記第２有機材は、ほぼ同一のヤング率を有することを特徴とする請求項１２に記載の表示パネル。
【請求項１５】
前記第３有機封止層と前記第２有機封止層は、同じ材料で製造されることを特徴とする請求項１２に記載の表示パネル。
【請求項１６】
前記第３有機封止層は、第３有機材を含み、
前記第２有機封止層は、第２有機材を含み、
前記第３有機材のヤング率は、前記第２有機材のヤング率と異なることを特徴とする請求項１２に記載の表示パネル。
【請求項１７】
前記第３有機封止層および前記第２有機封止層の各々は、ポリアクリレートとエポキシ樹脂のうちの１つまたはその組み合わせを含むことを特徴とする請求項１２に記載の表示パネル。
【請求項１８】
前記第１有機封止層は、シリコーン樹脂を含むことを特徴とする請求項１に記載の表示パネル。
【請求項１９】
有機発光ダイオード表示パネルである表示パネルであって、
前記表示手段は、複数の有機発光ダイオードと複数の薄膜トランジスタとを含むことを特徴とする請求項１に記載の表示パネル。
【請求項２０】
湾曲可能部を有し、
前記第１有機封止層は、複数列の第１有機封止ブロックを含み、前記複数列の第１有機封止ブロックのうちの各列は、大体前記湾曲可能部の長さ方向に沿って延在し、
前記第２有機封止層は、複数列の第２有機封止ブロックを含み、前記複数列の第２有機封止ブロックのうちの各列は、前記湾曲可能部の長さ方向と大体平行する方向に沿って延在し、
前記複数列の第２有機封止ブロックのうちの各列は、大体前記封止層の全長に亘って延在する単一の第２有機封止ブロックを含むことを特徴とする請求項１に記載の表示パネル。
【請求項２１】
湾曲可能部を有し、
前記第１有機封止層は、複数列の第１有機封止ブロックを含み、前記複数列の第１有機封止ブロックのうちの各列は、前記湾曲可能部の長さ方向と大体平行する方向に沿って延在し、
前記第２有機封止層は、複数列の第２有機封止ブロックを含み、前記複数列の第２有機封止ブロックのうちの各列は、前記湾曲可能部の長さ方向と大体平行する方向に沿って延在し、
前記複数列の第２有機封止ブロックのうちの各列は、互い離間する複数の第２有機封止ブロックを含むことを特徴とする請求項１に記載の表示パネル。
【請求項２２】
前記第１有機封止層および前記第２有機封止層の前記第１無機封止層から離れた側に位置する第２無機封止層をさらに含み、
前記第１有機封止層は、前記第２無機封止層と接しており、
前記第２有機封止層は、前記第１有機封止層によって前記第２無機封止層と離隔されていることを特徴とする請求項１に記載の表示パネル。
【請求項２３】
前記封止層は、前記第１無機封止層と前記第２無機封止層との間に位置するとともに、前記第１無機封止層および前記第２無機封止層と接している第３有機封止層をさらに含むことを特徴とする請求項２２に記載の表示パネル。
【請求項２４】
請求項１〜２３のいずれか１項に記載の表示パネルを備えることを特徴とする表示装置。
【発明の詳細な説明】
【技術分野】
【０００１】
本発明は、表示技術に関し、特にフレキシブル表示パネルおよびフレキシブル表示装置に関する。
【背景技術】
【０００２】
フレキシブル表示装置は、フレキシブル表示パネルを備える曲げ可能または変形可能な表示装置である。フレキシブル表示装置の例としては、フレキシブル有機発光ダイオード（ＯＬＥＤ）表示装置、フレキシブル電気泳動表示（ＥＰＤ）装置およびフレキシブル液晶表示（ＬＣＤ）装置が含まれている。フレキシブル表示装置は、新世代の表示装置として、より薄型化かつより軽量化で、高いコントラスト、高い応答性および高い輝度を有し、またフルカラーや広視野角を実現した。フレキシブル表示装置は、携帯電話、パーソナル・デジタル・アシスタンス（ＰＤＡｓ）、デジタルカメラ、オンボードディスプレイ、ノートパソコン、壁掛けテレビおよび様々な軍事用途に広く用いられている。フレキシブル表示装置は、フレキシブルアレイ基板を含む。フレキシブルアレイ基板のベース基板は、プラスチックなどの可撓性材で製造可能なものである。
【発明の概要】
【０００３】
１つの形態において、本発明は、ベース基板と、前記ベース基板上に位置する表示手段と、前記表示手段の前記ベース基板から離れた側に位置し、前記表示手段を封止する封止層とを含み、前記封止層は、前記表示手段の前記ベース基板から離れた側に位置する第１無機封止層と、前記第１無機封止層の前記表示手段から離れた側に位置する第１有機封止層および第２有機封止層とを含み、前記第１有機封止層および前記第２有機封止層の各々は前記第１無機封止層と接しており、前記第１有機封止層のヤング率は、前記第２有機封止層のヤング率よりも低いである表示パネルを提供する。
【０００４】
必要に応じて、前記表示パネルは、湾曲可能部を有し、前記ベース基板の表面を含む平面における前記第１有機封止層の正投影と前記ベース基板の表面を含む平面における前記湾曲可能部の正投影とは少なくとも一部重なっている。
【０００５】
必要に応じて、前記ベース基板の表面を含む平面における前記第１有機封止層の正投影は、前記ベース基板の表面を含む平面における前記湾曲可能部の正投影を大体覆っている。
【０００６】
必要に応じて、前記第１有機封止層の幅は、前記湾曲可能部の幅の約１．２倍〜約２．０倍である。
【０００７】
必要に応じて、前記第２有機封止層の幅は、前記第１有機封止層の幅の約１／３以下である。
【０００８】
必要に応じて、前記第１有機封止層は、前記第２有機封止層の前記第１無機封止層から離れた側に位置し、前記第２有機封止層を大体覆っている。
【０００９】
必要に応じて、前記第２有機封止層の厚さは、前記第１有機封止層の厚さの約１／２以下である。
【００１０】
必要に応じて、前記表示パネルは、湾曲可能部を有し、前記ベース基板の表面を含む平面における前記第２有機封止層の正投影と前記ベース基板の表面を含む平面における前記湾曲可能部の正投影とは少なくとも一部重なっている。
【００１１】
必要に応じて、前記ベース基板の表面を含む平面における前記湾曲可能部の正投影は、前記ベース基板の表面を含む平面における前記第２有機封止層の正投影を大体覆っている。
【００１２】
必要に応じて、前記表示パネルは、湾曲可能部を有し、前記第２有機封止層は、前記湾曲可能部の長さ方向と大体平行する方向に沿って延在し、かつ大体前記封止層の全長に亘って延在する単一の第２有機封止ブロックを含む。
【００１３】
必要に応じて、前記表示パネルは、湾曲可能部を有し、前記第２有機封止層は、前記湾曲可能部の長さ方向と大体平行する方向に沿って互い離間する複数の第２有機封止ブロックを含む。
【００１４】
必要に応じて、前記封止層は、前記第１無機封止層の前記表示手段から離れた側に位置するとともに、前記第１無機封止層と接している第３有機封止層をさらに含む。
【００１５】
必要に応じて、前記第１有機封止層は、前記第２有機封止層の前記第１無機封止層から離れた側に位置するとともに、前記第２有機封止層を大体覆っており、前記第１有機封止層は、第１の側、第２の側、および、前記第１の側と前記第２の側とを接続する第３の側を有し、前記第３の側の第１部分は、前記第１無機封止層と接しており、前記第３の側の第２部分は、前記第２有機封止層と接しており、前記第３有機封止層は、前記第１の側と前記第２の側に前記第１有機封止層を挟み込んでいる。
【００１６】
必要に応じて、前記第３有機封止層は、第３有機材を含み、前記第２有機封止層は、第２有機材を含み、前記第３有機材と前記第２有機材は、ほぼ同一のヤング率を有する。
【００１７】
必要に応じて、前記第３有機封止層と前記第２有機封止層は、同じ材料で製造される。
【００１８】
必要に応じて、前記第３有機封止層は、第３有機材を含み、前記第２有機封止層は、第２有機材を含み、前記第３有機材のヤング率は、前記第２有機材のヤング率と異なる。
【００１９】
必要に応じて、前記第３有機封止層および前記第２有機封止層の各々は、ポリアクリレートとエポキシ樹脂のうちの１つまたはその組み合わせを含む。
【００２０】
必要に応じて、前記第１有機封止層は、シリコーン樹脂を含む。
【００２１】
必要に応じて、前記表示パネルは、有機発光ダイオード表示パネルであり、前記表示手段は、複数の有機発光ダイオードと複数の薄膜トランジスタとを含む。
【００２２】
必要に応じて、前記表示パネルは、湾曲可能部を有し、前記第１有機封止層は、複数列の第１有機封止ブロックを含み、前記複数列の第１有機封止ブロックのうちの各列は、大体前記湾曲可能部の長さ方向に沿って延在し、前記第２有機封止層は、複数列の第２有機封止ブロックを含み、前記複数列の第２有機封止ブロックのうちの各列は、前記湾曲可能部の長さ方向と大体平行する方向に沿って延在し、前記複数列の第２有機封止ブロックのうちの各列は、大体前記封止層の全長に亘って延在する単一の第２有機封止ブロックを含む。
【００２３】
必要に応じて、前記表示パネルは、湾曲可能部を有し、前記第１有機封止層は、複数列の第１有機封止ブロックを含み、前記複数列の第１有機封止ブロックのうちの各列は、前記湾曲可能部の長さ方向と大体平行する方向に沿って延在し、前記第２有機封止層は、複数列の第２有機封止ブロックを含み、前記複数列の第２有機封止ブロックのうちの各列は、前記湾曲可能部の長さ方向と大体平行する方向に沿って延在し、前記複数列の第２有機封止ブロックのうちの各列は、互い離間する複数の第２有機封止ブロックを含む。
【００２４】
必要に応じて、前記表示パネルは、前記第１有機封止層および前記第２有機封止層の前記第１無機封止層から離れた側に位置する第２無機封止層をさらに含み、前記第１有機封止層は前記第２無機封止層と接しており、前記第２有機封止層は、前記第１有機封止層によって前記第２無機封止層と離隔されている。
【００２５】
必要に応じて、前記封止層は、前記第１無機封止層と前記第２無機封止層との間に位置するとともに、前記第１無機封止層および前記第２無機封止層と接している第３有機封止層をさらに含む。
【００２６】
別の形態において、本発明は、本開示に記載の表示パネルまたは本開示に記載の方法により製造された表示パネルを備える表示装置を提供する。
【００２７】
以下の図面は、さまざまな開示実施例を説明する例に過ぎず、本発明の範囲を制限するためのものではない。
【図面の簡単な説明】
【００２８】
【図１】本開示の幾つかの実施例におけるフレキシブル表示パネルの構造を示す図である。
【図２】本開示の幾つかの実施例における図１のＡ−Ａ’線に沿う断面図である。
【図３】本開示の幾つかの実施例における図１のＡ−Ａ’線に沿う断面図である。
【図４】本開示の幾つかの実施例におけるフレキシブル表示パネルの平面図である。
【図５】本開示の幾つかの実施例におけるフレキシブル表示パネルの平面図である。
【図６】本開示の幾つかの実施例における図１のＡ−Ａ’線に沿う断面図である。
【図７】本開示の幾つかの実施例におけるフレキシブル表示パネルの平面図である。
【図８】本開示の幾つかの実施例におけるフレキシブル表示パネルの平面図である。
【発明を実施するための形態】
【００２９】
以下は、実施例に合わせて、本発明をさらに詳しく説明する。幾つかの実施例に関する以下の説明は、例示や説明を目的とするためのものだけであり、全てを網羅するものではなく、開示した形態と全く同じものに本発明を制限するものではないことに留意すべきである。
【００３０】
図１は、本開示の幾つかの実施例におけるフレキシブル表示パネルの構造を示す図である。図１を参照すると、フレキシブル表示パネルは、少なくとも１つの湾曲可能部Ｂを含む。１つの実施例において、フレキシブル表示パネルは、ローラブル表示パネルであって、複数の湾曲可能部Ｂを含む。別の実施例において、フレキシブル表示パネルは、折り畳み可能な表示パネルである。例えば、折り畳み可能な表示パネルは、湾曲可能部Ｂと、湾曲可能部Ｂの２つの相対する側に位置する第１曲げ不可能部Ｎ１および第２曲げ不可能部Ｎ２とを含んでよい。折り畳まれた構造において、第１曲げ不可能部Ｎ１と第２曲げ不可能部Ｎ２とは、対向する。折り畳まれない構造において、湾曲可能部Ｂと、第１曲げ不可能部Ｎ１と、第２曲げ不可能部Ｎ２とは、大体同一平面にあることができる。必要に応じて、湾曲可能部Ｂと、第１曲げ不可能部Ｎ１と、第２曲げ不可能部Ｎ２とは、一体型の、折り畳み可能な表示パネルまたはローラブル表示パネルを構成する。
【００３１】
図２は、本開示の幾つかの実施例における図１のＡ−Ａ’線に沿う断面図である。図２を参照すると、幾つかの実施例において、フレキシブル表示パネルは、フレキシブルベース基板１００と、フレキシブルベース基板１００上に位置する表示手段２００と、表示手段２００のフレキシブルベース基板１００から離れた側に位置するとともに、表示手段２００を封止する封止層３００とを含む。幾つかの実施例において、封止層３００は、表示手段２００のフレキシブルベース基板１００から離れた側に位置する第１無機封止層３１０と、第１無機封止層３１０の表示手段２００から離れた側に位置する有機封止層３２０と、有機封止層３２０の第１無機封止層３１０から離れた側に位置する第２無機封止層３３０を含む。良好な撓性を図るために、有機封止層３２０は、通常、比較的高い弾性を有する材料（たとえば、比較的小さなヤング率を有する材料）で製造される。しかし、比較的小さなヤング率を有する材料は、通常、無機封止層（例えば、第１無機封止層３１０と第２無機封止層３３０）に対して、比較的弱い接着性を有する。これによって、通常、有機封止層３２０が無機封止層から分離（例えば、剥離）され、特にフレキシブル表示パネルの湾曲可能部Ｂまたはその周辺に分離が発生し、フレキシブル表示パネルの欠陥につながる。
【００３２】
これに鑑み、本発明は、特に、従来技術の制限及び欠点による１つ以上の問題を大体解消したフレキシブル表示パネルおよびフレキシブル表示装置を提供する。１つの形態において、本開示は、曲げることができる位置に湾曲可能部を有する表示パネルを提供する。幾つかの実施例において、表示パネルは、ベース基板と、ベース基板上に位置する表示手段と、表示手段のベース基板から離れた側に位置するとともに、表示手段を封止する封止層とを含む。必要に応じて、封止層は、表示手段のベース基板から離れた側に位置する第１無機封止層と、第１無機封止層の表示手段から離れた側に位置する第１有機封止層および第２有機封止層とを含む。必要に応じて、第１有機封止層および第２有機封止層の各々は第１無機封止層と接している。必要に応じて、第１有機封止層のヤング率は、第２有機封止層のヤング率よりも低い。必要に応じて、表示手段は、複数の副画素の発光をそれぞれ駆動するための複数の薄膜トランジスタを有する液晶表示手段である。各副画素における液晶表示手段は、共通電極と、画素電極と、対向する２つの基板の間に挟み込まれた液晶分子層とを含む。必要に応じて、表示手段は、複数の副画素のそれぞれに位置する複数の有機発光ダイオードと、複数の有機発光ダイオードの発光をそれぞれ駆動するための複数の薄膜トランジスタとを備える有機発光表示手段である。複数の副画素のうちの１つにおける複数の有機発光ダイオードの各々は、陰極と、陽極と、陰極と陽極との間に位置する有機発光層とを含む。
【００３３】
図３は、本開示の幾つかの実施例における図１のＡ−Ａ’線に沿う断面図である。図３を参照すると、幾つかの実施例において、フレキシブル表示パネルは、フレキシブルベース基板１００と、フレキシブルベース基板１００上に位置する表示手段２００と、表示手段２００のフレキシブルベース基板１００から離れた側に位置するとともに、表示手段２００を封止する封止層３００とを含む。幾つかの実施例において、封止層３００は、表示手段２００のフレキシブルベース基板１００から離れた側に位置する第１無機封止層３１０と、第１無機封止層３１０の表示手段２００から離れた側に位置する有機封止層３２０とを含む。図３に示すように、幾つかの実施例において、有機封止層３２０は、第１有機封止層３２４と、第２有機封止層３２３と、第１無機封止層３１０の表示手段２００から離れた側に位置する第３有機封止層３２２とを含む。１つの実施例において、第１有機封止層３２４と第２有機封止層３２３と第３有機封止層３２２とは、大体同一水平面（例えば、第１無機封止層３１０の上表面を含む平面）にある。必要に応じて、第１有機封止層３２４と第２有機封止層３２３と第３有機封止層３２２はいずれも第１無機封止層３１０と接している。必要に応じて、第１有機封止層３２４は、第２有機封止層３２３の第１無機封止層３１０から離れた側に位置するとともに、第２有機封止層３２３を大体覆っている。必要に応じて、第１有機封止層３２４は、第１の側、第２の側、および、第１の側と第２の側とを接続する第３の側を有する。第３の側の第１部分（たとえば、周辺部分）は、第１無機封止層３１０と接している。第３の側の第２部分（たとえば、中央部分）は、第２有機封止層３２３と接している。必要に応じて、第３有機封止層３２２は、第１の側と第２の側に第１有機封止層３２４を挟み込んでいる。
【００３４】
必要に応じて、第２有機封止層３２３は、第１の側、第２の側、および、第１の側と第２の側とを接続する第３の側を有する。必要に応じて、第２有機封止層３２３の第３の側は、第１無機封止層３１０と接している。第１有機封止層３２４は、第１の側と第２の側に第２有機封止層３２３を挟み込んでいる。
【００３５】
幾つかの実施例において、第１有機封止層３２４は、第２有機封止層３２３および第３有機封止層３２２よりも撓性がある。必要に応じて、第１有機封止層３２４は、第２有機封止層３２３および第３有機封止層３２２よりも弾性がある。必要に応じて、第２有機封止層３２３および第３有機封止層３２２は、第１有機封止層３２４と比べて、第１無機封止層３１０との接着性がより優れる。必要に応じて、第１有機封止層３２４のヤング率は、第２有機封止層３２３および第３有機封止層３２２のヤング率よりも低い。必要に応じて、第２有機封止層３２３または第３有機封止層３２２のヤング率に対する第１有機封止層３２４のヤング率の比は、約１：４０〜約１：２００００の範囲、例えば、約１：４０〜約１：４００の範囲、約１：４００〜約１：２０００の範囲、約１：２０００〜約１：４０００の範囲、約１：４０００〜約１：８０００の範囲、約１：８０００〜約１：１２０００の範囲、約１：１２０００〜約１：１４０００の範囲、約１：１４０００〜約１：１６０００の範囲、約１：１６０００〜約１：１８０００の範囲、および約１：１８０００〜約１：２００００の範囲にある。
【００３６】
幾つかの実施例において、第３有機封止層３２２は第３有機材を含み、第２有機封止層３２３は第２有機材を含み、且つ、第１有機封止層３２４は第１有機材を含む。必要に応じて、第１有機材（例えば、ポリマー材）のヤング率は、約０．００１ＧＰａ〜約０．５Ｇｐａの範囲、例えば、０．００１ＧＰａ〜約０．０５Ｇｐａの範囲、０．０５ＧＰａ〜約０．１Ｇｐａの範囲、０．１ＧＰａ〜約０．２Ｇｐａの範囲、０．２ＧＰａ〜約０．３Ｇｐａの範囲、０．３ＧＰａ〜約０．４Ｇｐａの範囲、および０．４ＧＰａ〜約０．５Ｇｐａの範囲にある。必要に応じて、第１有機材（例えば、ポリマー材）のヤング率は、約０．５ＧＰａ〜約１．５Ｇｐａの範囲、例えば、０．５ＧＰａ〜約１．０Ｇｐａの範囲および１．０ＧＰａ〜約１．５Ｇｐａの範囲にある。必要に応じて、第１有機材（例えば、ポリマー材）のヤング率は、約２．０ＧＰａ〜約２０ＧＰａの範囲、例えば、約２．０ＧＰａ〜約４．０ＧＰａの範囲、約４．０ＧＰａ〜約６．０ＧＰａの範囲、約６．０ＧＰａ〜約８．０ＧＰａの範囲、約８．０ＧＰａ〜約１０ＧＰａの範囲、約１０ＧＰａ〜約１２．５ＧＰａの範囲、約１２．５ＧＰａ〜約１５ＧＰａの範囲、約１５ＧＰａ〜約１７．５ＧＰａの範囲および約１７．５ＧＰａ〜約２０ＧＰａの範囲にある。必要に応じて、第２有機材（例えば、ポリマー材）のヤング率は、約２．０ＧＰａ〜約２０ＧＰａの範囲、例えば、約２．０ＧＰａ〜約４．０ＧＰａの範囲、約４．０ＧＰａ〜約６．０ＧＰａの範囲、約６．０ＧＰａ〜約８．０ＧＰａの範囲、約８．０ＧＰａ〜約１０ＧＰａの範囲、約１０ＧＰａ〜約１２．５ＧＰａの範囲、約１２．５ＧＰａ〜約１５ＧＰａの範囲、約１５ＧＰａ〜約１７．５ＧＰａの範囲および約１７．５ＧＰａ〜約２０ＧＰａの範囲にある。必要に応じて、第３有機材（例えば、ポリマー材）のヤング率は、約２．０ＧＰａ〜約２０ＧＰａの範囲、例えば、約２．０ＧＰａ〜約４．０ＧＰａの範囲、約４．０ＧＰａ〜約６．０ＧＰａの範囲、約６．０ＧＰａ〜約８．０ＧＰａの範囲、約８．０ＧＰａ〜約１０ＧＰａの範囲、約１０ＧＰａ〜約１２．５ＧＰａの範囲、約１２．５ＧＰａ〜約１５ＧＰａの範囲、約１５ＧＰａ〜約１７．５ＧＰａの範囲および約１７．５ＧＰａ〜約２０ＧＰａの範囲にある。
【００３７】
必要に応じて、第３有機材のヤング率は、第２有機材のヤング率と異なる。必要に応じて、第３有機材と第２有機材は、ほぼ同一のヤング率を有する。必要に応じて、第３有機封止層３２２と第２有機封止層３２３は同じ材料で製造される。１つの実施例において、第３有機封止層３２２と第２有機封止層３２３は、単一のパターニング・プロセスにおいて、同一のマスクプレートを用いて同一の層に形成されている。
【００３８】
幾つかの実施例において、第１有機封止層３２４のヤング率は第２有機封止層３２３および第３有機封止層３２２のヤング率より低ければ、第１有機封止層３２４、第２有機封止層３２３および第３有機封止層３２２はいずれもシリコーン樹脂、ポリアクリレート、エポキシ樹脂およびポリウレタンアクリレート樹脂のうちの１つまたはその組み合わせで製造されることができる。必要に応じて、第１有機封止層３２４は、シリコーン樹脂を含む。必要に応じて、第３有機封止層３２２は、ポリアクリレートおよびエポキシ樹脂のうちの１つまたはその組み合わせを含む。必要に応じて、第２有機封止層３２３は、ポリアクリレートおよびエポキシ樹脂のうちの１つまたはその組み合わせを含む
【００３９】
幾つかの実施例において、フレキシブルベース基板１００の表面（例えば、上表面）を含む平面における第１有機封止層３２４の正投影とフレキシブルベース基板１００の表面を含む平面における湾曲可能部Ｂの正投影とは、少なくとも一部重なっている。図３に示すように、幾つかの実施例において、フレキシブルベース基板１００の表面を含む平面における第１有機封止層３２４の正投影は、フレキシブルベース基板１００の表面を含む平面における湾曲可能部Ｂの正投影を大体覆っている。
【００４０】
必要に応じて、フレキシブルベース基板１００の表面（例えば、上表面）を含む平面における第３有機封止層３２２の正投影は、大体、フレキシブルベース基板１００の表面を含む平面における第１有機封止層３２４および第２有機封止層３２３の正投影の外に位置する（例えば、重ならない）。
【００４１】
図３を参照すると、第１有機封止層３２４は、湾曲可能部Ｂの幅方向に幅ｗ１を有する。湾曲可能部Ｂは、湾曲可能部Ｂの幅方向に幅Ｗｂを有する。必要に応じて、第２有機封止層３２３は、湾曲可能部Ｂの幅方向に幅ｗ２を有する。幾つかの実施例において、幅ｗ１は、幅Ｗｂよりも大きく、幅Ｗｂは、幅ｗ２よりも大きい。必要に応じて、幅ｗ１は、幅Ｗｂの約１．２倍〜約２．０倍、例えば、約１．２倍〜約１．４倍、約１．４倍〜約１．６倍、約１．６倍〜約１．８倍および約１．８倍〜約２倍である。必要に応じて、幅ｗ２は、幅ｗ１の約１/３以下（例えば、１/６以下）である。必要に応じて、幅ｗ１に対する幅ｗ２の比は、約１：６〜約１：３の範囲にある。
【００４２】
幾つかの実施例において、第１有機封止層３２４は、第２有機封止層３２３の第１無機封止層３１０から離れた側に位置するとともに、第２有機封止層３２３を大体覆っている。必要に応じて、第２有機封止層３２３は、第１無機封止層３１０と接しており、かつ、第１有機封止層３２４は、第２有機封止層３２３と接しているとともに、第２有機封止層３２３の両側に第１無機封止層３１０と接している。
【００４３】
図３を参照すると、幾つかの実施例において、第１有機封止層３２４は、厚さ（例えば、最大厚さ）ｔ１を有し、第２有機封止層３２３は、厚さ（例えば、最大厚さ）ｔ２を有する。必要に応じて、厚さｔ１は、厚さｔ２よりも大きく、すなわち第１有機封止層３２４は、第２有機封止層３２３を覆っている。必要に応じて、厚さｔ２は、厚さｔ１の１/２以下（例えば、１/４以下）である。必要に応じて、厚さｔ１に対する厚さｔ２の比は、約１：４〜約１：２の範囲にある。
【００４４】
幾つかの実施例において、フレキシブルベース基板１００の表面を含む平面における第２有機封止層３２３の正投影とフレキシブルベース基板１００の表面を含む平面における湾曲可能部Ｂの正投影とは、少なくとも一部重なっている。図３を参照すると、フレキシブルベース基板１００の表面を含む平面における湾曲可能部Ｂの正投影は、フレキシブルベース基板１００の表面を含む平面における第２有機封止層３２３の正投影を大体覆っている。
【００４５】
図４は、本開示の幾つかの実施例におけるフレキシブル表示パネルの平面図である。図４および図３を参照すると、幾つかの実施例において、第２有機封止層３２３は、湾曲可能部Ｂの長さ方向と大体平行する方向に沿って延在し、大体前記封止層３００の全長（例えば、第３有機封止層３２２の全長または第１無機封止層３１０の全長）に亘って延在する単一の第２有機封止ブロック３２３ｂを含む。
【００４６】
図５は、本開示の幾つかの実施例におけるフレキシブル表示パネルの平面図である。図５および図３を参照すると、幾つかの実施例において、第２有機封止層３２３は、湾曲可能部Ｂの長さ方向と大体平行する方向に沿って配列されている互い離間する複数の第２有機封止ブロック３２３ｂを含む。
【００４７】
図６は、本開示の幾つかの実施例における図１のＡ−Ａ’線に沿う断面図である。図７は、本開示の幾つかの実施例におけるフレキシブル表示パネルの平面図である。図８は、本開示の幾つかの実施例におけるフレキシブル表示パネルの平面図である。図６〜図８を参照すると、幾つかの実施例において、第１有機封止層３２４は、複数列の第１有機封止ブロック３２４ｂを含む。複数列の第１有機封止ブロック３２４ｂのうちの各列は、大体湾曲可能部Ｂの長さ方向に沿って延在する。複数列の第１有機封止ブロック３２４ｂのうち隣接する２列は、第３有機封止層３２２によって離隔されている。第２有機封止層３２３は、複数列の第２有機封止ブロック３２３ｂを含む。複数列の第２有機封止ブロック３２３ｂのうちの各列は、湾曲可能部Ｂの長さ方向と大体平行する方向に沿って延在する。図７を参照すると、幾つかの実施例において、複数列の第２有機封止ブロック３２３ｂのうちの各列は、大体前記封止層３００の全長（例えば、第３有機封止層３２２の全長または第１無機封止層３１０の全長）に亘って延在する単一の有機封止ブロックを含む。図８を参照すると、幾つかの実施例において、複数列の第２有機封止ブロック３２３ｂのうちの各列は、互い離間する複数の第２有機封止ブロック３２３ｂを含む。
【００４８】
第１有機封止層３２４が複数列の第１有機封止ブロック３２４ｂを含みかつ第２有機封止層３２３が複数列の第２有機封止ブロック３２３ｂを含む場合、湾曲可能部Ｂは、複数列の第１有機封止ブロック３２４ｂのうちの１列以上または複数列の第２有機封止ブロック３２３ｂのうちの１列以上に対応することができる。１つの実施例において、湾曲可能部Ｂは、複数列の第１有機封止ブロック３２４ｂのうちの一列と複数列の第２有機封止ブロック３２３ｂのうちの一列に対応する。必要に応じて、複数列の第１有機封止ブロック３２４ｂのうちの一列の幅は湾曲可能部Ｂの幅よりも大きく、湾曲可能部Ｂの幅は複数列の第２有機封止ブロック３２３ｂのうちの一列の幅よりも大きい。別の実施例において、湾曲可能部Ｂは、複数列の第１有機封止ブロック３２４ｂのうちの複数列または複数列の第２有機封止ブロック３２３ｂのうちの複数列に対応する。例えば、湾曲可能部Ｂの幅は、複数列の第１有機封止ブロック３２４ｂのうちの複数列、または、複数列の第２有機封止ブロック３２３ｂのうちの複数列に亘るものである。
【００４９】
幾つかの実施例において、フレキシブル表示パネルは、ローラブル表示パネルである。ローラブル表示パネルにおいて、図６〜図８に示すように、第１有機封止層３２４は、複数列の第１有機封止ブロック３２４ｂを含み、第２有機封止層３２３は、複数列の第２有機封止ブロック３２３ｂを含む。ローラブル表示パネルは、複数の湾曲可能部を含み、この複数の湾曲可能部の各々は、複数例の第１有機封止ブロック３２４ｂのうちの１列及び複数列の第２有機封止ブロック３２３ｂのうちの１列に対応する。このような構造により、ローラブル表示パネルは、撓性が向上するとともに、機械的耐久性が向上する。例えば、本ローラブル表示パネルにおいて、有機封止層の無機封止層から分離することはより難くなる。
【００５０】
図３を参照すると、幾つかの実施例において、フレキシブル表示パネルは、有機封止層３２０の第１無機封止層３１０から離れた側、例えば、第３有機封止層３２２、第２有機封止層３２３および第１有機封止層３２４の第１無機封止層３１０から離れた側に位置する第２無機封止層３３０をさらに含む。必要に応じて、第３有機封止層３２２および第１有機封止層３２４は、第２無機封止層３３０と接している。第２有機封止層３２３と第２無機封止層３３０とは、第１有機封止層３２４によって離隔されている。
【００５１】
必要に応じて、フレキシブル表示パネルは、フレキシブル液晶表示パネルである。必要に応じて、フレキシブル表示パネルは、フレキシブル有機発光ダイオード表示パネルである。
【００５２】
別の実施例において、本開示は、表示パネル（例えば、フレキシブル表示パネル）を製造する方法を提供する。幾つかの実施例において、この方法は、ベース基板（例えば、フレキシブルベース基板）に表示手段を形成することと、表示手段のベース基板から離れた側に封止層を形成して表示手段を封止することとを含む。必要に応じて、封止層を形成する工程は、表示手段のベース基板から離れた側に第１無機封止層を形成することと、第１無機封止層の表示手段から離れた側に第１有機封止層および第２有機封止層を形成することを含む。必要に応じて、第１有機封止層および第２有機封止層の各々は、第１無機封止層と接するように形成されている。必要に応じて、第１有機封止層のヤング率は、第２有機封止層のヤング率よりも低い。
【００５３】
幾つかの実施例において、表示パネルは、曲げることができる位置に湾曲可能部を有するように形成されている。必要に応じて、第１有機封止層は、ベース基板の表面を含む平面における第１有機封止層の正投影とベース基板の表面を含む平面における湾曲可能部の正投影とが少なくとも一部重なるように形成されている。必要に応じて、第１有機封止層は、ベース基板の表面を含む平面における第１有機封止層の正投影がベース基板の表面を含む平面における湾曲可能部の正投影を大体覆うように形成されている。必要に応じて、第１有機封止層は、その幅が湾曲可能部の幅の約１．２倍〜約２．０倍であるように形成されている。
【００５４】
必要に応じて、第２有機封止層および第１有機封止層は、第２有機封止層の幅が第１有機封止層の幅の約１／３以下であるように形成されている。必要に応じて、第１有機封止層は、第２有機封止層の第１無機封止層から離れた側にあるとともに、第２有機封止層を大体覆うように形成されている。必要に応じて、第２有機封止層および第１有機封止層は、第２有機封止層の厚さが第１有機封止層の厚さの約１／２以下であるように形成されている。
【００５５】
幾つかの実施例において、表示パネルは、曲げることができる位置に湾曲可能部を有するように形成されている。必要に応じて、第２有機封止層は、ベース基板の表面を含む平面における第２有機封止層の正投影とベース基板の表面を含む平面における湾曲可能部の正投影とが少なくとも一部重なるように形成されている。必要に応じて、第２有機封止層は、ベース基板の表面を含む平面における湾曲可能部の正投影がベース基板の表面を含む平面における第２有機封止層の正投影を大体覆うように形成されている。
【００５６】
幾つかの実施例において、表示パネルは、曲げることができる位置に湾曲可能部を有するように形成されている。必要に応じて、第２有機封止層を形成する工程は、湾曲可能部の長さ方向と大体平行する方向に沿って延在し、大体前記封止層の全長に亘って延在する単一の第２有機封止ブロックを形成することを含む。必要に応じて、第２有機封止層を形成する工程は、湾曲可能部の長さ方向と大体平行する方向に形成された互い離間する複数の第２有機封止ブロックを形成する工程を含む。
【００５７】
幾つかの実施例において、封止層を形成する工程は、第１無機封止層の表示手段から離れた側に位置するとともに、第１無機封止層と接している第３有機封止層を形成することをさらに含む。必要に応じて、第１有機封止層は、第２有機封止層の第１無機封止層から離れた側にあるとともに、第２有機封止層を大体覆うように形成されている。必要に応じて、第１有機封止層は、第１の側、第２の側、および、第１の側と第２の側とを接続する第３の側を有するように形成されている。第３の側の第１部分は、第１無機封止層と接するように形成されている。第３の側の第２部分は、第２有機封止層と接するように形成されている。必要に応じて、第３有機封止層は、第１の側と第２の側に第１有機封止層を挟み込むように形成されている。必要に応じて、第１有機封止層のヤング率は、第２有機封止層および第３有機封止層のヤング率よりも低い。
【００５８】
必要に応じて、第３有機材で第３有機封止層を形成し、第２有機材で第２有機封止層を形成する。必要に応じて、第３有機材と第２有機材は、ほぼ同一のヤング率を有する。必要に応じて、第３有機封止層と第２有機封止層は、同じ材料で製造される。必要に応じて、第３有機材のヤング率は、第２有機材のヤング率と異なる。必要に応じて、シリコーン樹脂を含む材料で第１有機封止層を形成する。必要に応じて、ポリアクリレートとエポキシ樹脂のうちの１つまたはその組み合わせを含む材料で第３有機封止層を形成する。必要に応じて、ポリアクリレートとエポキシ樹脂のうちの１つまたはその組み合わせを含む材料で第２有機封止層を形成する。
【００５９】
必要に応じて、第３有機封止層と第２有機封止層は、単一のパターニング・プロセスにおいて、同一のマスクプレートを用いて同一の層に形成されている。必要に応じて、第３有機封止層と第２有機封止層は、単一のパターニング・プロセスにおいて、同じ材料によって、同一のマスクプレートを用いて同一の層に形成されている。
【００６０】
幾つかの実施例において、表示パネルは、曲げることができる位置に湾曲可能部を有するように形成されている。必要に応じて、第１有機封止層を形成する工程は、複数列の第１有機封止ブロックを形成し、複数列の第１有機封止ブロックのうちの各列が大体湾曲可能部の長さ方向に沿って延在することを含む。必要に応じて、第２有機封止ブロックを形成する工程は、複数列の第２有機封止ブロックを形成し、複数列の第２有機封止ブロックのうちの各列が湾曲可能部の長さ方向と大体平行する方向に沿って延在することを含む。必要に応じて、複数列の第２有機封止ブロックのうちの各列は、大体前記封止層の全長に亘って延在する単一の第２有機封止ブロックを含むように形成されている。必要に応じて、複数列の第２有機封止ブロックのうちの各列は、互い離間する複数の第２有機封止ブロックを含むように形成されている。
【００６１】
幾つかの実施例において、前記方法は、第１有機封止層および第２有機封止層の第１無機封止層から離れた側に第２無機封止層を形成することをさらに含む。必要に応じて、第１有機封止層は、第２無機封止層と接しするように形成されている。必要に応じて、第２有機封止層は、第１有機封止層によって第２無機封止層から離隔されるように形成されている。必要に応じて、封止層を形成する工程は、第１無機封止層と第２無機封止層との間に第３有機封止層を形成することをさらに含む。必要に応じて、第３有機封止層は、第１無機封止層と第２無機封止層と接するように形成されている。
【００６２】
別の形態において、本発明は、本開示に記載の表示パネル（例えば、フレキシブル表示パネル）または本開示に記載の方法により製造された表示パネル（例えば、フレキシブル表示パネル）を有する表示装置（例えば、フレキシブル表示装置）を提供する。必要に応じて、前記表示装置は液晶表示装置である。必要に応じて、前記表示装置は有機発光ダイオード表示装置である。必要に応じて、前記表示装置は電気泳動表示装置である。適切な表示装置の例としては、電子ペーパー、携帯電話、タブレットコンピュータ、テレビ、モニター、ノートパソコン、デジタルアルバム、ＧＰＳなどが含まれるが、これらに制限されない。
【００６３】
本発明の実施例に関する前述の説明は、例示や説明を目的とするためのものであり、全てを網羅している訳ではなく、また、開示した形態と全く同じものもしくは例示的な実施例に本発明を限定することを意図しない。従って、前述の説明は、制限的であるというよりも例示的であると考えるべきである。勿論、様々の修正、変形は、当業者にとって明らかである。前記実施例は、本発明の主旨と好ましい実施形態を解説するために選択・説明され、当業者が、特定の用途又は想定される実装方式に適する様々な実施例や様々な変更を理解できるようになる。本発明の範囲は添付した請求項及びそれらの等価物によって制限することが意図され、請求項及びそれらの等価物において全ての用語は、特に明記しない限り、最も広い合理的な意味に解される。従って、「発明」、「本発明」又は類似する用語は必ずしも請求項の範囲を特定の実施例に制限するものではなく、発明の典型的な実施例への参照は発明に対する制限を意味せず、そのような制限は推定されない。本発明は、添付の請求項の趣旨及び範囲のみに制限される。また、これらの請求項は「第１」、「第２」などを使用し、その後ろに名詞又は要素を付け加える場合がある。上記用語は名付けための用語と理解すべきであり、特定の数値を与えない限り、上記名付けための用語が付加された要素の数を制限すると解釈すべきでない。記述した利点や利益は本発明の全ての実施例に応用できるとは限らない。添付の請求項によって定義された本発明の趣旨を逸脱することなく、前述した実施例を当業者にて変更できることが理解されよう。さらに、本開示の要素又は部品が添付の請求項において明示的に記載されるか否かを問わず、該要素又は部品を公衆に捧げることを意図しない。
【図１】
2021503150.tif 000003
【図２】
2021503150.tif 000004
【図３】
2021503150.tif 000005
【図４】
2021503150.tif 000006
【図５】
2021503150.tif 000007
【図６】
2021503150.tif 000008
【図７】
2021503150.tif 000009
【図８】
2021503150.tif 000010
【国際調査報告】
2021503150.tif 000011
2021503150.tif 000012